(57)【要約】【課題】制御対象領域に分散配置された複数の照明機器の調光レベルをきめ細かく制御して、省電力化を実現しつつ、制御対象領域内の人間に与える違和感を低減すること。【解決手段】制御対象領域に分散配置された複数の照明機器を制御する照明制御装置であって、複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する重み付与部２１１ａと、複数の前記照明機器の調光レベルを、対応する前記小領域に対して付与された前記第１の重みと前記第２の重みとを用いて制御する調光制御部２１１ｂと、を備えた。【選択図】図１６
2014049378.tif 000002
【特許請求の範囲】
【請求項１】
制御対象領域に分散配置された複数の照明機器を制御する照明制御装置であって、
複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する重み付与部と、
複数の前記照明機器の調光レベルを、対応する前記小領域に対して付与された前記第１の重みと前記第２の重みとを用いて制御する調光制御部と、を備えることを特徴とする照明制御装置。
【請求項２】
前記制御対象領域内における前記人間の位置は、前記人間が所持する加速度センサ、角速度センサおよび地磁気センサそれぞれの検知データに基づいて特定されることを特徴とする請求項１に記載の照明制御装置。
【請求項３】
前記検知データに基づいてさらに前記人間の動作状況が検出され、
前記第２の重みは、前記人間の動作状況に応じて変化することを特徴とする請求項２に記載の照明制御装置。
【請求項４】
前記第２の重みは、前記人間の位置から離れるほど調光レベルを低くする重みであることを特徴とする請求項１に記載の照明制御装置。
【請求項５】
前記第１の重みは、時間に応じて変化することを特徴とする請求項１に記載の照明制御装置。
【請求項６】
前記調光制御部は、複数の前記照明機器の調光レベルを、対応する前記小領域に対して付与された前記第１の重みと前記第２の重みとを予め定められた基準レベルに乗算して得られる目標レベルとなるように制御することを特徴とする請求項１に記載の照明制御装置。
【請求項７】
制御対象領域に分散配置された複数の照明機器を制御するコンピュータに、
複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する機能と、
複数の前記照明機器の調光レベルを、対応する前記小領域に対して付与された前記第１の重みと前記第２の重みとを用いて制御する機能と、を実現させるためのプログラム。
【請求項８】
制御対象領域内の人間の位置を検出する測位装置と、前記測位装置にネットワークで接続され、前記制御対象領域に分散配置された複数の照明機器を制御する照明制御装置と、を備える照明制御システムであって、
前記測位装置は、
前記人間が所持する加速度センサ、角速度センサおよび地磁気センサのそれぞれから検知データを受信する第１受信部と、
前記検知データに基づいて、前記制御対象領域内での前記人間の位置を特定する位置特定部と、
特定された前記人間の位置を、前記照明制御装置に送信する送信部と、を備え、
前記照明制御装置は、
前記測位装置から、前記人間の位置を受信する第２受信部と、
複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する重み付与部と、
複数の前記照明機器の調光レベルを、対応する前記小領域に対して付与された前記第１の重みと前記第２の重みとを用いて制御する調光制御部と、を備えることを特徴とする照明制御システム。
【発明の詳細な説明】
【技術分野】
【０００１】
本発明は、照明制御装置、プログラムおよび照明制御システムに関する。
【背景技術】
【０００２】
従来、人感センサや照度センサ等を用いて、人間のいる場所が所望の照度となるように、調光可能な照明機器を制御する照明制御システムが知られている。この照明制御システムでは、人間のいない場所では照度を落とすように照明機器を制御することで、照明機器による無駄な消費電力を削減し、省電力化を図ることができる。
【発明の概要】
【発明が解決しようとする課題】
【０００３】
しかし、従来技術のように、人間がいる場所の照度を高くし、人間のいない場所の照度を低くするような単純な制御では、例えば、制御対象となる空間内で場所ごとの照度の差が大きくなる等により、その空間内にいる人間に違和感を与えてしまう場合があった。
【０００４】
本発明は、上記に鑑みてなされたものであって、制御対象領域に分散配置された複数の照明機器の調光レベルをきめ細かく制御して、省電力化を実現しつつ、制御対象領域内の人間に与える違和感を低減することができる照明制御装置、プログラムおよび照明制御システムを提供することを主な目的とする。
【課題を解決するための手段】
【０００５】
上述した課題を解決し、目的を達成するために、本発明に係る照明制御装置は、制御対象領域に分散配置された複数の照明機器を制御する照明制御装置であって、複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する重み付与部と、複数の前記照明機器の調光レベルを、対応する前記小領域に対して付与された前記第１の重みと前記第２の重みとを用いて制御する調光制御部と、を備えることを特徴とする。
【０００６】
また、本発明に係るプログラムは、制御対象領域に分散配置された複数の照明機器を制御するコンピュータに、複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する機能と、複数の前記照明機器の調光レベルを、対応する前記小領域に対して付与された前記第１の重みと前記第２の重みとを用いて制御する機能と、を実現させる。
【０００７】
また、本発明に係る照明制御システムは、制御対象領域内の人間の位置を検出する測位装置と、前記測位装置にネットワークで接続され、前記制御対象領域に分散配置された複数の照明機器を制御する照明制御装置と、を備える照明制御システムであって、前記測位装置は、前記人間が所持する加速度センサ、角速度センサおよび地磁気センサのそれぞれから検知データを受信する第１受信部と、前記検知データに基づいて、前記制御対象領域内での前記人間の位置を特定する位置特定部と、特定された前記人間の位置を、前記照明制御装置に送信する送信部と、を備え、前記照明制御装置は、前記測位装置から、前記人間の位置を受信する第２受信部と、複数の前記照明機器の位置に対応して区分された前記制御対象領域内の複数の小領域のそれぞれに対して、該小領域の位置に応じた第１の重みと、前記制御対象領域内における人間の位置に応じた第２の重みとを付与する重み付与部と、複数の前記照明機器の調光レベルを、対応する前記小領域に対して付与された前記第１の重みと前記第２の重みとを用いて制御する調光制御部と、を備えることを特徴とする。
【発明の効果】
【０００８】
本発明によれば、制御対象領域に分散配置された複数の照明機器の調光レベルをきめ細かく制御して、省電力化を実現しつつ、制御対象領域内の人間に与える違和感を低減することができるという効果を奏する。
【図面の簡単な説明】
【０００９】
【図１】図１は、本実施の形態の機器制御システムのネットワーク構成図である。
【図２】図２は、スマートフォン、センサの装着状態及び方向を定義した図である。
【図３】図３は、人間の動作を検知できる情報機器をスマートフォンと別個に装着した例を示す図である。
【図４】図４は、各センサが検知する方向を示す図である。
【図５】図５は、監視カメラの設置状態の一例を示す図である。
【図６】図６は、ＬＥＤ照明機器、タップ、空調機の設置状態の一例を示す図である。
【図７】図７は、測位サーバ装置の機能的構成を示すブロック図である。
【図８】図８は、着座動作と起立動作のそれぞれを行った場合における鉛直方向の加速度成分の波形を示す図である。
【図９】図９は、しゃがむ動作と起立動作をそれぞれ行った場合における水平方向の角速度成分の波形を示す図である。
【図１０】図１０は、静止状態で向きを変える動作をおこなった際の鉛直方向の角速度成分の波形を示す図である。
【図１１】図１１は、着座状態でディスプレイから上方向に目線を外した場合の頭部の水平方向の角速度成分の波形を示す図である。
【図１２】図１２は、着座状態でディスプレイから下方向に目線を外した場合の頭部の水平方向角速度成分の波形を示す図である。
【図１３】図１３は、本実施の形態の制御サーバ装置の機能的構成を示すブロック図である。
【図１４】図１４は、本実施の形態の測位サーバ装置による検出処理の手順を示すフローチャートである。
【図１５】図１５は、本実施の形態のコンセント制御部および空調機制御部による機器制御処理の手順を示すフローチャートである。
【図１６】図１６は、本実施の形態の機器制御システムの構成のうち、照明機器制御部に関わる部分を抜き出して示したブロック図である。
【図１７】図１７は、制御対象領域である室内におけるＬＥＤ照明機器の位置に応じて区分された複数のエリアを説明する図である。
【図１８】図１８は、第１の重み付けテーブルの一例を示す図である。
【図１９】図１９は、第２の重み付けテーブルの一例を示す図である。
【図２０】図２０は、ＬＥＤ照明機器の概略構成を示す回路図である。
【図２１】図２１は、ＰＷＭ制御の概要を説明する図である。
【図２２】図２２は、本実施の形態の照明機器制御部が実施する処理の概要を示すフローチャートである。
【図２３】図２３は、エリアの座標情報を算出する方法の一例を説明する図である。
【図２４】図２４は、滞在エリア判定処理の手順を示すフローチャートである。
【図２５】図２５は、エリアごとの重み決定処理と調光制御の手順を示すフローチャートである。
【発明を実施するための形態】
【００１０】
以下に添付図面を参照して、この発明に係る照明制御装置、プログラムおよび照明制御システムの実施の形態を詳細に説明する。
【００１１】
本実施の形態の照明制御装置は、制御対象領域に分散配置された複数の照明機器を制御する。本実施の形態では、制御対象領域を、分散配置された複数の照明装置の位置にそれぞれ対応する複数の小領域に区分して考える。そして、各小領域に対して、小領域の位置に応じた第１の重みと、制御対象領域内における人間の位置に応じた第２の重みとを付与し、制御対象領域に分散配置された複数の照明機器の調光レベルを、対応する小領域に対して付与された第１の重みと第２の重みとを用いて制御する。これにより、制御対象領域に分散配置された複数の照明機器の調光レベルをきめ細かく制御して、省電力化を実現しつつ、制御対象領域内の人間に与える違和感を低減することができる。
【００１２】
特許文献１は、ＰＷＭ制御により調光レベルが制御されるＬＥＤ照明機器を独立制御可能な複数のＬＥＤ群に分割し、ＬＥＤ群ごとに調光レベルを制御することで、空間全体の調光を任意に制御する技術を提案している。例えば、特許文献１には、部屋の窓側の机上と室内側の机上の照度をそれぞれ照度センサにより実測し、双方における外光とＬＥＤ照明機器の光の和が机上において等しくなるようにＬＥＤ群ごとの調光レベルを制御したり、広い部屋の中で人のいる位置を人感センサにより検知し、人がいる位置を中心に同心円的に周囲に離れるほど暗くなるようにＬＥＤ群ごとの調光レベルを制御したりすることが記載されている。
【００１３】
しかし、特許文献１に記載された技術では、照度センサや人感センサの検出値をフィードバックしてＬＥＤ群の調光レベルを制御するため、制御が複雑になるばかりか、制御の多様性に限界がある。これに対して、本実施の形態では、制御対象領域を複数の小領域に区分し、複数の小領域に対して各々付与された第１の重みと第２の重みとを用いて、各小領域に対応する照明機器の調光レベルを制御するので、多様なニーズに対応した調光制御を簡便に行うことができる。例えば、第１の重みを用いて、外部の光が入る位置の小領域に対応する照明機器の調光レベルを小さくしたり、人間が頻繁に通過する位置の小領域に対応する照明機器の調光レベルを大きくしたりするなど、制御対象領域内における小領域の位置の特性を反映させた調光制御を行うことができる。また、例えば、第２の重みを用いて、人間がいる小領域に対応する照明機器の調光レベルを大きくするだけでなく、人間がいない小領域に対応する照明機器の調光レベルを適切に制御したり、人間の位置に加えてその動作状況も加味して、人間がいる小領域に対応する照明機器の調光レベルを制御することも可能となる。
【００１４】
以下では、本実施の形態の照明制御装置を、制御対象領域である室内で特定の業務活動を実施する人間（以下、従業者という。）の位置等に応じて室内に設置された機器の電力を制御する機器制御システムの一部の装置として実現する例を説明する。適用可能なシステムはこのような機器制御システムに限られるものではない。
【００１５】
図１は、本実施の形態の機器制御システムのネットワーク構成図である。本実施の形態の機器制御システムは、図１に示すように、複数のスマートフォン３００と、撮像装置としての複数の監視カメラ４００と、測位サーバ装置１００と、制御サーバ装置２００と、制御対象の機器としての複数のＬＥＤ（Ｌｉｇｈｔ  Ｅｍｉｔｔｉｎｇ  Ｄｉｏｄｅ）照明機器５００、複数のタップ６００および複数の空調機７００とを備えている。
【００１６】
複数のスマートフォン３００および複数の監視カメラ４００と、測位サーバ装置１００とは、例えば、Ｗｉ−Ｆｉ（Ｗｉｒｅｌｅｓｓ  Ｆｉｄｅｌｉｔｙ）等の無線通信ネットワークで接続されている。なお、無線通信の方式は、Ｗｉ−Ｆｉに限定されるものではない。また、監視カメラ４００と測位サーバ装置１００とは有線で接続されていてもよい。
【００１７】
測位サーバ装置１００と制御サーバ装置２００とは、インターネットやＬＡＮ（Ｌｏｃａｌ  Ａｒｅａ  Ｎｅｔｗｏｒｋ）等のネットワークに接続されている。
【００１８】
また、制御サーバ装置２００と、複数のＬＥＤ照明機器５００、複数のタップ６００および複数の空調機７００とは、例えば、Ｗｉ−Ｆｉ等の無線通信ネットワークで接続されている。
【００１９】
なお、制御サーバ装置２００と、複数のＬＥＤ照明機器５００、複数のタップ６００および複数の空調機７００との通信方式はＷｉ−Ｆｉに限定されるものではなく、その他の無線通信方式を利用してもよい他、Ｅｔｈｅｒｎｅｔ（登録商標）ケーブルやＰＬＣ（Ｐｏｗｅｒ  Ｌｉｎｅ  Ｃｏｍｍｕｎｉｃａｔｉｏｎｓ）等の有線通信方式を利用することもできる。
【００２０】
スマートフォン３００は、従業者に所持されて、従業者の動作を検知する情報機器である。図２は、スマートフォン３００の装着状態を示す図である。スマートフォン３００は、従業者が手等で所持する他、図２に示すように、従業者の腰に装着されてもよい。
【００２１】
図１に戻り、スマートフォン３００のそれぞれには、加速度センサ、角速度センサおよび地磁気センサが搭載されており、１秒等の一定時間ごとに、各センサでの検知データを測位サーバ装置１００に送信している。ここで、加速度センサの検知データは、加速度ベクトルである。角速度センサの検知データは、角速度ベクトルである。地磁気センサの検知データは、磁気方位ベクトルである。
【００２２】
なお、本実施の形態では、従業者の動作を検知する情報機器としてスマートフォン３００を用いているが、加速度センサ、角速度センサおよび地磁気センサを備えて人間の動作を検知できる情報機器であれば、スマートフォン３００等の携帯端末に限定されるものではない。
【００２３】
また、加速度センサ、角速度センサおよび地磁気センサ等の従業者の動作を検知する情報機器をスマートフォン３００に備えるとともに、スマートフォン３００とは別個に従業者の動作を検知する情報機器を装着するように構成してもよい。
【００２４】
例えば、図３は、従業者の動作を検知できる情報機器をスマートフォン３００と別個に装着した例を示す図である。図３に示すように、スマートフォン３００とは別個に、加速度センサ、角速度センサ、地磁気センサを備えた小型のヘッドセットタイプのセンサ群３０１を頭部に装着することができる。この場合、センサ群３０１で検知した検知データは、センサ群３０１が直接、測位サーバ装置１００に送信する他、スマートフォン３００経由で測位サーバ装置１００に送信することができる。このように、従業者の頭部にスマートフォン３００の各センサとは別個にセンサ群３０１を装着することにより、種々の姿勢検出を行うことが可能となる。
【００２５】
図４は、各センサが検知する方向を示す図である。図４（ａ）は、加速度センサ、地磁気センサが検知する方向を示している。図４（ａ）に示すように、加速度センサ、地磁気センサにより、進行方向、鉛直方向、水平方向の加速度成分、地磁気方位成分のそれぞれの検知が可能となる。また、図４（ｂ）は、角速度センサにより検知される角速度ベクトルＡを示している。ここで、矢印Ｂが、角速度の正方向を示している。本実施の形態では、角速度ベクトルＡの、図４（ａ）に示す進行方向、鉛直方向、水平方向への射影を考え、それぞれ、進行方向の角速度成分、鉛直方向の角速度成分、水平方向の角速度成分という。
【００２６】
図１に戻り、監視カメラ４００は、制御対象領域である室内を撮像するものであり、制御対象領域である室の上部付近等に設置される。図５は、監視カメラ４００の設置状態の一例を示す図である。図５の例では、室内の扉付近の２か所に監視カメラ４００が設置されているが、これに限定されるものではない。監視カメラ４００は、制御対象領域である室内を撮像して、その撮像画像（撮像映像）を、測位サーバ装置１００に送信する。
【００２７】
図１に戻り、本実施の形態では、照明系システム、タップ系システム、空調系システムを電力制御の対象としている。照明系システムとして複数のＬＥＤ照明機器５００、タップ系システムとして複数のタップ６００、空調系システムとして複数の空調機７００を電力制御の対象としている。
【００２８】
複数のＬＥＤ照明機器５００、複数のタップ６００、複数の空調機７００は、制御対象領域である室内に設置されている。図６は、ＬＥＤ照明機器５００、タップ６００、空調機７００の設置状態の一例を示す図である。
【００２９】
図６に示すように、室内には、６個の机で一つのグループが形成され、３つのグループが設けられている。そして、ＬＥＤ照明機器５００とタップ６００は、一つの机に対してそれぞれ一つが設けられている。一方、空調機７００は、２つのグループの間に一つずつ設けられている。なお、このようなＬＥＤ照明機器５００、タップ６００、空調機７００の配置は一例であり、図６に示す例に限定されるものではない。
【００３０】
なお、図６には図示されていないが、室外に設置された系統電力計測機器により、本実施の形態の室内の全電力の総和情報を把握できるようになっている。
【００３１】
室内では、１８名の従業者が特定の業務活動を実施しており、室内外への出入りは、２つの扉で行われる。本実施の形態では、レイアウトや機器類やユーザ数等を限定しているが、より多種多様なレイアウト並びに機器類へ適用することができる。さらに、空間規模やユーザ数のスケーラビリティにおける任意性や、個人単位もしくは集団単位で見た場合のユーザ属性や携わる業務種のバリエーションにおける任意性に対しても、幅広く拡張して適用することができる。また、図５、６に示すような屋内空間に限らず、屋外等で本実施の形態を適用してもよい。
【００３２】
なお、本実施の形態の測位サーバ装置１００、制御サーバ装置２００は、図５、図６に示す室の外部に設置されている。本実施の形態では、測位サーバ装置１００、制御サーバ装置２００を電力制御の対象外としたが、これらを電力制御の対象とすることも可能である。
【００３３】
また、本実施の形態では、通信ネットワーク系を構成するＷｉ−Ｆｉアクセスポイントやスイッチングハブやルータ等のネットワーク機器類に関しては、電力制御の対象外としたが、電力制御の対象とすることも可能である。
【００３４】
なお、これらネットワーク機器類が消費する電力量は、ＬＥＤ照明機器５００と空調機７００とタップ６００における消費電力の総和を、上記系統電力計測機器により計測される消費電力の総和から除した電力量として算出することができる。
【００３５】
複数のＬＥＤ照明機器５００、複数のタップ６００、複数の空調機７００のそれぞれは、制御サーバ装置２００により、ネットワークを介して遠隔制御される。
【００３６】
すなわち、ＬＥＤ照明機器５００は、調光レベルが、制御サーバ装置２００により遠隔制御される。すなわち、制御対象領域である室内を照明する照明系システムとしては、低消費電力性を考慮して調光機能付きのＬＥＤ照明機器５００が用いられており、ＬＥＤ照明機器５００の調光レベルが、Ｗｉ−Ｆｉによる無線制御方式で制御サーバ装置２００によって制御される。
【００３７】
なお、照明系システムとしては、調光機能を持つ照明装置であれば、ＬＥＤ灯以外の発光部を有する他の照明装置を用いるようにしてもよい。
【００３８】
空調機７００は、その電源のオンオフが制御サーバ装置２００により遠隔制御される。すなわち、空調機７００は、個別に遠隔制御が可能な構成となっており、制御対象は空調機７００のオン／オフに加えて、風向き、送風強度となっている。本実施の形態では、送風する温度や湿度について制御を行っていないが、これに限定されるものではなく、温度や湿度を制御対象とすることもできる。
【００３９】
タップ６００は、複数のタップ口を備えたものであり、各タップ口は電源供給のオンオフが制御サーバ装置２００により遠隔制御される。すなわち、タップ６００は、タップ口単位に個別に遠隔制御可能なオン／オフスイッチが設けられている。オン／オフ制御はＷｉ−Ｆｉによる無線制御方式で制御サーバ装置２００により行われる。一つのタップ６００に含まれるタップ口は任意の数とすることができるが、一例として４口のタップ口で一つのタップを構成したものを用いることができる。
【００４０】
タップ６００は、図６に示すように、各机に一つずつ設置されている。タップ６００には、不図示の電気機器、具体的には、デスクトップ型ＰＣやディスプレイ装置のほか、ノートブック型ＰＣ、プリンタ装置、充電器類が接続可能である。
【００４１】
本実施の形態では、タップ６００のタップ口に、人間との正対関係が重要となる機器であるディスプレイ装置の電源が接続されている。ディスプレイ装置は、制御サーバ装置２００によって、タップ口へ供給する電力のオン／オフによる制御が可能な機器である。
【００４２】
なお、デスクトップ型ＰＣ本体やプリンタ装置をタップ６００に接続した場合は、装置の構成上、制御サーバ装置２００によって、タップ口へ供給する電力のオン／オフによる制御ができない。このため、デスクトップ型ＰＣ本体に関しては、ネットワーク経由で省電力モードもしくはシャットダウンに移行できるような制御ソフトウェアをインストールしておくことにより、省電力への制御を行い、省電力モードあるいはシャットダウン状態からの復帰はユーザ自身によるマニュアル操作とする。
【００４３】
また、充電器類や充電時のノートブック型ＰＣをタップ６００に接続する場合には、利便性を考慮して常時オンとする。なお、タップ６００のタップ口に接続する機器については、これらに限定されるものではない。
【００４４】
図１に戻り、測位サーバ装置１００は、各センサの検知データを受信して、各センサを装着した従業者の位置や動作状況を検出し、当該位置や動作状況を制御サーバ装置２００に送信する。なお、本実施の形態において、動作状況とは、例えば、歩く、起立する、椅子に着座する、作業時にしゃがむ、向き（方向）を変える等の動作そのものだけでなく、これらの動作によって得られる姿勢、向き等も含む。つまり、起立するという動作によって得られる起立した状態（起立状態）や、着座という動作によって得られる椅子に着座した状態（着座状態）等も、本実施の形態における動作状況に含まれる。
【００４５】
図７は、測位サーバ装置１００の機能的構成を示すブロック図である。測位サーバ装置１００は、図７に示すように、通信部１０１と、位置特定部１０２と、動作状況検出部１０３と、補正部１０４と、記憶部１１０とを主に備えている。
【００４６】
記憶部１１０は、ハードディスクドライブ装置（ＨＤＤ）やメモリ等の記憶媒体であり、制御対象領域である室内の地図データ等、測位サーバ装置１００の処理に必要な各種情報を記憶している。
【００４７】
通信部１０１は、一定時間ごとに、スマートフォン３００に搭載された加速度センサ、角速度センサおよび地磁気センサのそれぞれ、あるいはスマートフォン３００とは別個のセンサ群３０１の加速度センサ、角速度センサ、地磁気センサのそれぞれから検知データを受信する。すなわち、通信部１０１は、加速度センサから加速度ベクトルを受信し、角速度センサから角速度ベクトルを受信し、地磁気センサから磁気方位ベクトルを受信する。
【００４８】
また、通信部１０１は、監視カメラ４００から撮像画像を受信する。さらに、通信部１０１は、後述する従業者の絶対位置、および方向、姿勢等の動作状況を、制御サーバ装置２００に送信する。
【００４９】
位置特定部１０２は、受信した検知データを解析して、室内での従業者の絶対位置を人間の肩幅または歩幅の精度で特定する。位置特定部１０２による従業者の絶対位置の特定手法の詳細については後述する。
【００５０】
動作状況検出部１０３は、受信した検知データを解析して、従業者の動作状況を検出する。本実施の形態では、動作状況検出部１０３は、動作状況として、従業者が静止状態か歩行状態かを検出する。また、動作状況検出部１０３は、動作状況が静止状態である場合に、検知データに基づいて、制御対象領域内の機器に対する従業者の方向、従業者の姿勢が起立状態か着座状態かの動作状況を検出する。
【００５１】
すなわち、動作状況検出部１０３は、監視カメラ４００からの撮像画像により、従業者が扉から入室したことを検知した場合に、当該入室した従業者に装着されたスマートフォン３００の加速度センサ、角速度センサ、地磁気センサ、あるいはスマートフォン３００とは別個のセンサ群３０１の加速度センサ、角速度センサ、地磁気センサから逐次受信している検知データのうち加速度ベクトルと角速度ベクトルのそれぞれの時系列データを用いて、従業者の動作状況が歩行状態か静止状態かを逐次判定する。ここで、加速度ベクトルと角速度ベクトルを用いて従業者の動作状況が歩行状態かを判定する手法は、例えば特許第４２４３６８４号公報に開示されているデッドレコニング装置による処理で実現することができる。そして、動作状況検出部１０３は、この手法により人間が歩行状態でないと判断された場合に、人間が静止状態であると判定することができる。
【００５２】
より具体的には、動作状況検出部１０３は、特許第４２４３６８４号公報に開示されているデッドレコニング装置による処理と同様に、以下のように人間の動作状態を検出することができる。
【００５３】
すなわち、動作状況検出部１０３は、加速度センサから受信した加速度ベクトルと角速度センサから受信した角速度ベクトルから重力加速度ベクトルを求めて、加速度ベクトルから重力加速度ベクトルを差し引き、鉛直方向の加速度を除去して、残差加速度成分の時系列データを得る。そして、動作状況検出部１０３は、この残差加速度成分の時系列データに対して主成分解析を行って、歩行動作の進行方向を求める。さらに、動作状況検出部１０３は、鉛直方向の加速度成分の山ピークと谷ピークのペアを探索し、進行方向の加速度成分の谷ピークと山ピークのペアを探索する。そして、動作状況検出部１０３は、進行方向の加速度成分の勾配を算出する。
【００５４】
さらに、動作状況検出部１０３は、鉛直方向の加速度成分が山ピークから谷ピークに変化する当該谷ピークの検出時刻における、上記進行方向の加速度成分の勾配が所定値以上であるか否かを判断し、所定値以上である場合に、従業者の動作状況は歩行状態であると判定する。
【００５５】
一方、上記処理において、鉛直方向の加速度成分の山ピークと谷ピークのペアが探索されず、あるいは、進行方向の加速度成分の谷ピークと山ピークのペアが探索されず、若しくは、鉛直方向の加速度成分が山ピークから谷ピークに変化する当該谷ピークの検出時刻における、上記進行方向の加速度成分の勾配が所定値未満である場合には、動作状況検出部１０３は、従業者の動作状況は静止状態であると判定する。
【００５６】
そして、従業者が静止状態であると判定されたら、位置特定部１０２は、加速度ベクトル、角速度ベクトルおよび磁気方位ベクトルを用いて、扉の位置を基準位置として、当該基準位置から静止状態であると判定された位置までの相対移動ベクトルを求める。ここで、加速度ベクトル、角速度ベクトルおよび磁気方位ベクトルを用いた相対移動ベクトルの算出手法は、例えば特開２０１１−４７９５０号公報のデッドレコニング装置の処理で開示されている手法を用いることができる。
【００５７】
より具体的には、位置特定部１０２は、特開２０１１−４７９５０号公報のデッドレコニング装置の処理と同様に、以下のように相対移動ベクトルを求めることができる。
【００５８】
すなわち、位置特定部１０２は、加速度センサから受信した加速度ベクトルと角速度センサから受信した角速度ベクトルから重力方位ベクトルを求め、重力方位ベクトルと、角速度ベクトルまたは地磁気センサから受信した磁気方位ベクトルとから人間の姿勢角を移動方位として算出する。また、位置特定部１０２は、加速度ベクトルと角速度ベクトルとから重力加速度ベクトルを求め、重力加速度ベクトルと加速度ベクトルとから、歩行動作によって発生している加速度ベクトルを算出する。そして、位置特定部１０２は、重力加速度ベクトルと、歩行動作によって発生している加速度ベクトルとから、歩行動作を解析して検出し、検出結果に基づいて、歩行動作の大きさを、重力加速度ベクトルと歩行動作によって発生している加速度ベクトルとに基づいて計測して、計測結果を歩幅とする。そして、位置特定部１０２は、このようにして求めた移動方位と歩幅とを積算することにより、基準位置からの相対移動ベクトルを求める。すなわち、人間の歩幅あるいは肩幅、例えば、略６０ｃｍ以下（より具体的には略４０ｃｍ程度以下）の精度で、リアルタイムに従業者の位置を検出していることになる。
【００５９】
このようにして相対移動ベクトルが算出されたら、位置特定部１０２は、扉からの相対移動ベクトルと、記憶部１１０に記憶されている室内の地図データとから、従業者の移動後の絶対位置を特定する。
【００６０】
これにより、位置特定部１０２は、従業者が室内に配置されたどの机の位置にいるかまでを特定することができ、その結果、人間の肩幅、例えば、略６０ｃｍ以下（より具体的には略４０ｃｍ程度以下）の精度で、従業者の位置を特定することが可能となる。
【００６１】
このような位置精度は、高ければ高いほどよいというものではない。例えば、２人以上が会話をしている場面を想定すると、体を接して話しをすることは少なく、ある程度の距離は離れている。そこで、精度を考える場合、人間の肩幅または歩幅相当の精度、立っているか、座っているかは、腰から膝までの長さ相当を本実施の形態では適切な精度としている。
【００６２】
厚生労働省の公表している人体計測データ（河内まき子，持丸正明，岩澤洋，三谷誠二（２０００）：日本人人体寸法データベース１９９７−９８，通商産業省工業技術院くらしとＪＩＳセンター）によれば、青年、高齢者の男女の肩幅に相当するデータ（肩峰幅）は、平均値の幅が最も低い高齢者女性で約３５ｃｍ（３４．８ｃｍ）、最も高い青年男性で約４０ｃｍ（３９．７ｃｍ）となっている。また、腰から膝までの長さ（恥骨結合上縁高―大腿骨外側上顆高）の差は、同様に、約３４ｃｍ〜約３８ｃｍである。一方、人間が移動する場合の歩幅は、５０ｍ歩いた場合、９５歩となり、これから約５３ｃｍ（５０÷９５×１０）となり、本実施の形態による位置検出方法は、歩幅相当の精度が可能である。従って、上記データから、精度としては、６０ｃｍ以下、好ましくは４０ｃｍ以下が妥当であるとして本実施の形態を構成している。これらデータは精度を考えるための基準の目安になるが、日本人に基づいたものであり、この数値に限定されるものではない。
【００６３】
また、従業者の絶対位置を特定し、従業者が机の前の席で静止状態である場合には、動作状況検出部１０３は、地磁気センサから受信した磁気方位ベクトルの向きにより、従業者のディスプレイ装置に対する方向（向き）を判定する。また、動作状況検出部１０３は、従業者が机の前の席で静止状態である場合には、加速度ベクトルの鉛直方向の加速度成分から、従業者の姿勢、すなわち起立状態か着座状態かを判定する。
【００６４】
ここで、起立状態か着座状態かの判定は、例えば特許第４２４３６８４号公報に開示されているデッドレコニング装置と同様に、加速度センサから受信した加速度ベクトルと角速度センサから受信した角速度ベクトルから重力加速度ベクトルを求めて、鉛直方向の加速度成分を求めることができる。そして、動作状況検出部１０３は、例えば特許第４２４３６８４号公報に開示されているデッドレコニング装置と同様に、鉛直方向の加速度成分の山と谷のピークを求めることができる。
【００６５】
図８は、着座動作と起立動作のそれぞれを行った場合における鉛直方向の加速度成分の波形を示す図である。図８に示すように、着座動作の場合には、鉛直方向の加速度成分の山のピークから谷のピークまでの間隔が約０．５秒前後である。一方、起立動作の場合には、鉛直方向の加速度成分の谷のピークから山のピークまでの間隔が約０．５秒である。このため、動作状況検出部１０３は、かかるピークの間隔により、従業者が着座状態か起立状態かを判断している。すなわち、動作状況検出部１０３は、鉛直方向の加速度成分の山のピークから谷のピークまでの間隔が０．５秒から所定範囲内である場合には、従業者の動作状態は着座状態であると判定する。また、動作状況検出部１０３は、鉛直方向の加速度成分の谷のピークから山のピークまでの間隔が０．５秒から所定範囲内である場合には、従業者の動作状態は起立状態であると判定する。
【００６６】
このように、動作状況検出部１０３が従業者の動作状態が起立状態か着座状態かを判定することにより、従業者の高さ方向の位置を、略５０ｃｍ以下（より具体的には、略４０ｃｍ以下）の精度で検出したことを意味する。
【００６７】
さらに、図３に示した例のように、加速度センサ、角速度センサおよび地磁気センサ等の人間の動作を検知する情報機器を搭載したスマートフォン３００を腰に装着し、さらに、加速度センサ、角速度センサおよび地磁気センサを備えた小型のヘッドセットタイプのセンサ群３０１を頭部に装着した場合には、動作状況検出部１０３は、さらに、以下のような従業者の姿勢や動作を検出することができる。
【００６８】
図９は、しゃがむ動作と起立動作とをそれぞれ行った場合における水平方向の角速度成分の波形を示す図である。加速度センサからの加速度データからは、図８に示す着座動作と起立動作と類似の波形が検出されるが、加速度データのみでしゃがむ動作と起立動作を判別することは困難である。
【００６９】
このため、動作状況検出部１０３は、図８の波形に基づく、上述した着座動作と起立動作の判別の手法とともに、角速度センサから受信した水平方向の角速度データの経時的変化が図９の波形に一致するか否かを判断することにより、しゃがむ動作と起立動作の判別を行っている。
【００７０】
具体的には、動作状況検出部１０３は、まず、加速度センサから受信した加速度ベクトルに基づく鉛直方向の加速度成分の山のピークから谷のピークまでの間隔が０．５秒から所定範囲内であるか否かを判断する。
【００７１】
そして、鉛直方向の加速度成分の山のピークから谷のピークまでの間隔が０．５秒から所定範囲内である場合には、動作状況検出部１０３は、角速度センサから受信した角速度ベクトルの水平方向の角速度成分が、図９に示す波形のように、０から徐々に増加した後急激な増加で山のピークに達し、山のピークから急激に下がった後徐々に０に戻り、かつこの間の時間が約２秒である場合に、従業者の動作がしゃがむ動作であると判定する。
【００７２】
また、動作状況検出部１０３は、鉛直方向の加速度成分の谷のピークから山のピークまでの間隔が０．５秒から所定範囲内であるか否かを判断する。そして、鉛直方向の加速度成分の谷のピークから山のピークまでの間隔が０．５秒から所定範囲内である場合には、動作状況検出部１０３は、角速度センサから受信した角速度ベクトルの水平方向の角速度成分が、図９に示す波形のように、０から段階的に谷のピークに達し、谷のピークから徐々に０に戻り、かつこの間の時間が約１．５秒である場合に、従業者の動作が起立動作であると判定する。
【００７３】
このような動作状況検出部１０３におけるしゃがむ動作と起立動作の判定で用いる角速度ベクトルとしては、頭部に装着した角速度センサから受信した角速度ベクトルを用いることが好ましい。しゃがむ動作と起立動作において、頭部に装着した角速度センサからの角速度ベクトルに基づく水平方向の角速度成分が、図９に示す波形を顕著に示すからである。
【００７４】
図１０は、従業者が静止状態で方向をほぼ９０度変化させる動作を行った場合の鉛直方向の角速度成分の波形を示す図である。鉛直方向の角速度成分が正であれば右側に向きを変える動作であり、負であれば左側に方向を変化させる動作である。
【００７５】
動作状況検出部１０３は、角速度センサから受信した角速度ベクトルの鉛直方向の角速度成分の経時的変化が、図１０に示す波形のように、０から徐々に山のピークに達した後徐々に０に戻り、かつこの間の時間が約３秒である場合に、方向が右に変化する動作と判定する。
【００７６】
また、動作状況検出部１０３は、鉛直方向の角速度成分の経時的変化が、図１０に示す波形のように、０から徐々に谷のピークに達した後徐々に０に戻り、かつその間の時間が約１．５秒である場合に、方向が左に変化する動作と判定する。
【００７７】
動作状況検出部１０３は、頭部の角速度センサおよび腰のスマートフォン３００の角速度センサの双方から受信した角速度ベクトルの鉛直方向の角速度成分が、共に、上述のような判断で図１０の波形と類似する経時的変化を示す場合には、体全体の向きが右若しくは左に変わる動作と判定する。
【００７８】
一方、動作状況検出部１０３は、頭部の角速度センサから受信した角速度ベクトルの鉛直方向の角速度成分が、上述のような図１０の波形に類似する経時的変化を示すが、腰のスマートフォン３００の角速度センサからの角速度ベクトルの鉛直方向の角速度成分が、図１０の波形と全く異なる経時的変化を示す場合には、頭部だけ方向を右若しくは左に変える動作と判定する。このような動作としては、例えば、従業者が着座したまま、隣の従業者とコミュニケーションをとる場合の姿勢動作が考えられる。
【００７９】
図１１は、着座状態でディスプレイから上方向に目線を外した場合の頭部の角速度センサから受信した角速度ベクトルの水平方向の角速度成分の波形を示す図である。
【００８０】
位置特定部１０２が従業者の絶対位置を机の前であると特定し、かつ動作状況検出部１０３が当該机の前にいる従業者が着座状態であることを検出した場合を考える。そして、このような場合に、動作状況検出部１０３は、その従業者の頭部の角速度センサから受信した角速度ベクトルの水平方向の角速度成分が、図１１に示す波形のように、０から徐々に谷のピークに達し、その後急激に０に戻り、かつその間の時間が約１秒である場合に、着座状態でディスプレイから上方向に目線を外した動作（見上げる動作）であると判定する。そして、さらに、動作状況検出部１０３は、水平方向の角速度成分が、図１１に示す波形のように、０から徐々に増加しながら山のピークに達し、その後徐々に０に戻り、かつこの間の時間が約１．５秒である場合に、着座状態でディスプレイから上方向に目線を外した状態からディスプレイに目線を戻した動作であると判定する。
【００８１】
図１２は、着座状態でディスプレイから下方向に目線を外した場合の頭部の角速度センサから受信した角速度ベクトルの水平方向の角速度成分の波形を示す図である。
【００８２】
位置特定部１０２が従業者の絶対位置を机の前であると特定し、かつ動作状況検出部１０３が当該机の前にいる従業者が着座状態であることを検出した場合を考える。そして、このような場合に、動作状況検出部１０３は、その従業者の頭部の角速度センサから受信した角速度ベクトルの水平方向の角速度成分が、図１２に示す波形のように、０から急激に山のピークに達し、その後急激に０に戻り、かつその間の時間が約０．５秒である場合に、着座状態でディスプレイから下方向に目線を外した動作（見下げる動作）であると判定する。
【００８３】
そして、さらに、動作状況検出部１０３は、水平方向の角速度成分が、図１２に示す波形のように、０から急激に減少しながら谷のピークに達し、その後急激に０に戻り、かつこの間の時間が約１秒である場合に、着座状態でディスプレイから下方向に目線を外した状態からディスプレイに目線を戻した動作であると判定する。
【００８４】
このように、動作状況検出部１０３は、オフィスの従業者が日常取り得る姿勢や動作、すなわち、歩く（立った状態）、起立する（静止状態）、椅子に着座する、作業時にしゃがむ、着座状態あるいは起立状態で向き（方向）を変える、着座状態あるいは起立状態で天を仰ぐ、着座状態あるいは起立状態で俯く等を、上述の手法で判定することが可能になる。
【００８５】
なお、特許第４２４３６８４号公報のデッドレコニング装置の手法を用いる場合、特許第４２４３６８４号公報に開示されているように、エレベータによる人間の昇降動作も、鉛直方向の加速度成分を用いて判断している。
【００８６】
このため、本実施の形態では、動作状況検出部１０３は、例えば特開２００９−１４７１３号公報に開示されているマップマッチング装置の機能を用い、エレベータのない場所で、鉛直方向の加速度成分が図８に示す波形で検出された場合には、特許第４２４３６８４号公報のデッドレコニング装置によるエレベータによる昇降動作とは異なり、起立動作または着座動作であることを高精度に判定することができる。
【００８７】
補正部１０４は、監視カメラ４００からの撮像画像や記憶部１１０に保存された地図データに基づいて、特定された絶対位置や動作状況（方向、姿勢）を補正する。より具体的には、補正部１０４は、上述のように判断された従業者の絶対位置、方向、姿勢を、監視カメラ４００の撮像画像の画像解析等により正しいか否かを判断したり、地図データと、例えば特開２００９−１４７１３号公報に開示されているマップマッチング装置の機能とを用いて正しいか否かを判断する。そして、誤っている場合には、補正部１０４は、撮像画像やマップマッチング装置の機能から得られる、正しい絶対位置、方向、姿勢に補正する。
【００８８】
なお、補正部１０４は、監視カメラ４００からの撮像画像に限らず、ＲＦＩＤ（Ｒａｄｉｏ  Ｆｒｅｑｕｅｎｃｙ  ＩＤｅｎｔｉｆｉｃａｔｉｏｎ）やＢｌｕｅｔｏｏｔｈ（登録商標）等の短距離無線、光通信等の限定的な手段を用いて補正を行うように構成してもよい。
【００８９】
また、本実施の形態では、特許第４２４３６８４号公報および特開２０１１−４７９５０号公報に開示されたデッドレコニング装置と同様の技術、特開２００９−１４７１３号公報に開示されたマップマッチング装置と同様の技術を用いて、従業者の動作状態、基準位置からの相対移動ベクトル、姿勢（起立状態か着座状態か）を検出しているが、検出手法はこれらの技術に限定されるものではない。
【００９０】
なお、人間の位置を検出可能な技術としては、加速度センサ、角速度センサおよび地磁気センサの検知データに基づいて測位サーバ装置１００が実施する上述した方法の他に、例えば、ＩＣカード等による入退室管理、人感センサによる人間の検知、無線ＬＡＮを用いる方法、屋内ＧＰＳ（ＩＭＥＳ：Ｉｎｄｏｏｒ  ＭＥｓｓａｇｉｎｇ  Ｓｙｓｔｅｍ）を用いる方法、カメラの撮像画像を画像処理する方法、アクティブＲＦＩＤを用いる方法、および可視光通信を用いる方法等が知られている。
【００９１】
ＩＣカード等による入退室管理は、個人識別は可能であるが、測位精度が管理対象のエリア全体となり極めて低い。そのため、誰がそのエリアにいるかを知ることはできるものの、そのエリア内での人間の活動状況を把握することができない。
【００９２】
人感センサによる人間の検知は、人感センサの検知範囲となる１〜２ｍ程度の測位精度が得られるが、個人識別を行うことができない。また、エリア内での人間の活動状況を把握するためには、多数の人感センサを分散してエリア内に配置する必要がある。
【００９３】
無線ＬＡＮを用いる方法は、人間が所持する１台の無線ＬＡＮ端末とエリア内に設置された複数台のＬＡＮアクセスポイントとの間の距離を測定し、三角測量の原理によりエリア内における人間の位置を特定する。この方法は、個人識別は可能であるが、測位精度の環境依存性が大きく、一般的に測位精度は３ｍ以上と比較的低い精度となる。
【００９４】
屋内ＧＰＳを用いる方法は、ＧＰＳ衛星と同じ周波数帯の電波を発する専用の送信機を屋内に設置し、その送信機から通常のＧＰＳ衛星が時刻情報を送信する部分に位置情報を埋め込んだ信号を送信する。そして、その信号を屋内の人間が所持する受信端末で受信することにより、屋内における人間の位置を特定する。この方法は、個人識別は可能であるが、測位精度が３〜５ｍ程度と比較的低い精度となる。また、専用の送信機を設置する必要があり導入コストが嵩む。
【００９５】
カメラの撮像画像を画像処理する方法は、数十ｃｍ程度の比較的高い測位精度が得られるが、個人識別を行うことが難しい。このため、本実施の形態の測位サーバ装置１００では、従業者の絶対位置、方向、姿勢を補正する場合にのみ、監視カメラ４００の撮像画像を用いている。
【００９６】
アクティブＲＦＩＤを用いる方法は、電池を内蔵するＲＦＩＤタグを人間が所持し、ＲＦＩＤタグの情報をタグリーダで読み取ることで人間の位置を特定する。この方法は、個人識別は可能であるが、測位精度の環境依存性が大きく、一般的に測位精度は３ｍ以上と比較的低い精度となる。
【００９７】
可視光通信を用いる方法は、個人識別が可能であり、しかも数十ｃｍ程度の比較的高い測位精度が得られるが、可視光が遮られる場所では人間を検知できず、また、自然光や他の可視光等のノイズ源、干渉源が多いため、検出精度の安定性を維持することが難しい。
【００９８】
これらの技術に対し、本実施の形態の測位サーバ装置１００が実施する方法は、個人識別が可能で、しかも人間の肩幅または歩幅相当の高い測位精度が得られ、その上、人間の位置だけでなく、人間の動作状況を検出することができる。具体的には、本実施の形態の測位サーバ装置１００が実施する方法によれば、人間の動作状況として、オフィスの従業者が日常取り得る姿勢や動作、すなわち、歩く（立った状態）、起立する（静止状態）、椅子に着座する、作業時にしゃがむ、着座状態あるいは起立状態で向き（方向）を変える、着座状態あるいは起立状態で天を仰ぐ、着座状態あるいは起立状態で俯く等を検知することができる。
【００９９】
このため、本実施の形態では、測位サーバ装置１００が、スマートフォン３００やセンサ群３０１の加速度センサ、角速度センサおよび地磁気センサの検知データに基づいて、上述した方法により、制御対象領域であるオフィス内の従業者の絶対位置および従業者の動作状況を検出するようにしている。しかし、制御対象領域である室内における従業者の位置を検出する方法は、測位サーバ装置１００が実施する上述した方法に限定されるものではなく、例えば、上述した他の方法の一つまたは複数の組み合わせにより従業者の位置を検出するようにしてもよく、また、測位サーバ装置１００が実施する上述した方法に上述した他の方法の一つまたは複数を組み合わせて、従業者の位置を検出するようにしてもよい。
【０１００】
次に、制御サーバ装置２００の詳細について説明する。制御サーバ装置２００は、制御対象領域である室内の従業者の位置、動作状況（方向、姿勢等）に基づいて、当該室内に設置された複数のＬＥＤ照明機器５００、複数のタップ６００、複数の空調機７００のそれぞれを、ネットワークを介して遠隔制御する。
【０１０１】
図１３は、本実施の形態の制御サーバ装置２００の機能的構成を示すブロック図である。本実施の形態の制御サーバ装置２００は、図１３に示すように、通信部２０１と、消費電力管理部２０２と、機器制御部２１０と、記憶部２２０とを主に備えている。
【０１０２】
記憶部２２０は、ＨＤＤやメモリ等の記憶媒体であり、制御対象領域である室内に設置された制御対象の機器（複数のＬＥＤ照明機器５００、複数のタップ６００および複数の空調機７００）それぞれの位置データや、ＬＥＤ照明機器５００に対して調光制御を行う場合に用いられる調光レベルの基準値（基準レベル）、第１の重み付けテーブル、第２の重み付けテーブル等、制御サーバ装置２００の処理に必要な各種情報を記憶している。
【０１０３】
通信部２０１は、測位サーバ装置１００から、従業者の絶対位置、動作情報（方向、姿勢）を受信する。また、通信部２０１は、複数のＬＥＤ照明機器５００、複数のタップ６００に接続された電気機器、複数の空調機７００から消費電力を受信する。また、通信部２０１は、複数のＬＥＤ照明機器５００、複数のタップ６００、複数の空調機７００に対して電力制御を行うための制御信号を送信する。
【０１０４】
消費電力管理部２０２は、複数のＬＥＤ照明機器５００、複数のタップ６００に接続された電気機器、複数の空調機７００から受信した消費電力を管理する。
【０１０５】
機器制御部２１０は、照明機器制御部２１１と、コンセント制御部２１３と、空調機制御部２１５とを備えている。
【０１０６】
照明機器制御部２１１は、従業者の絶対位置、動作状況（方向、姿勢）に基づいてＬＥＤ照明機器５００を制御する。特に本実施の形態では、制御対象領域である室内を、複数のＬＥＤ照明機器５００の各々に対応する複数の小領域（以下、各小領域を単にエリアと呼ぶ。）に区分し、照明機器制御部２１１が、室内における各エリアの位置に応じて定められた第１の重みと、室内における従業者の位置に応じた第２の重みとを用いて、各エリアに対応するＬＥＤ照明機器５００の調光レベルを制御する。
【０１０７】
すなわち、本実施の形態の照明機器制御部２１１は、単に室内の従業者がいる位置が明るくなり、従業者がいない位置が暗くなるようにＬＥＤ照明機器５００を制御するのではない。照明機器制御部２１１は、室内に分散配置された複数のＬＥＤ照明機器５００のそれぞれに対応する複数のエリアに対して、記憶部２２０が記憶する第１の重み付けテーブルおよび第２の重み付けテーブルを参照して、第１の重みと第２の重みとを付与する。第１の重みは、室内における各エリアの位置に応じて与えられる重みであり、エリアの位置の特性を反映して定められる静的な重みである。第２の重みは、室内における従業者の位置に応じて与えられる重みであり、従業者の位置の変化に応じて随時変化する動的な重みである。そして、照明機器制御部２１１は、複数のＬＥＤ照明機器５００のそれぞれの調光レベルを、対応するエリアに対して付与された第１の重みと第２の重みとを用いて制御することで、省電力化を実現しつつ、室内の従業者に与える違和感を低減した快適な照明空間を実現するようにしている。なお、照明機器制御部２１１による調光制御の詳細については後述する。
【０１０８】
コンセント制御部２１３は、従業者の絶対位置、動作情報（方向、姿勢）に基づいてタップ６００のタップ口に対して電源のオンオフを制御する。より具体的には、コンセント制御部２１３は、例えば、受信した絶対位置の近傍に配置されたタップ６００に接続されたディスプレイ装置に対して、従業者が着座状態であり、かつディスプレイ装置に対する方向が前方である場合には、タップ６００においてディスプレイ装置が接続されたタップ口のスイッチをオンにする制御信号を通信部２０１を介して送信する。
【０１０９】
一方、コンセント制御部２１３は、当該タップ６００に接続されたディスプレイ装置に対して、従業者が起立状態であるか、またはディスプレイ装置に対する方向が後方である場合には、タップ６００においてディスプレイ装置が接続されたタップ口のスイッチをオフにする制御信号を通信部２０１を介して送信する。
【０１１０】
このように、ディスプレイ装置に対する従業者の方向によって電力制御を行うのは、ディスプレイ装置が従業者との正対関係で重要となる機器であり、方向が前方の場合にディスプレイ装置が使用されていると判断することができるからである。また、従業者の姿勢が着座状態の場合に、ディスプレイ装置が使用されていると判断することができる。このように、本実施の形態では、実際の機器の利用を考慮して電力制御を行うことになり、単に機器からの距離によって電力制御を行う場合に比べて、より細かな制御を行うことが可能となる。
【０１１１】
さらに本実施の形態のコンセント制御部２１３は、従業者の個人認識情報に連動させてデスクトップ型ＰＣ本体やディスプレイ装置の電力制御を行っている。従業者の個人認証情報は、例えば、従業者が保持するスマートフォン３００から測位サーバ装置１００に送られ、測位サーバ装置１００から制御サーバ装置２００に伝達される。制御サーバ装置２００は、この個人認証情報を用いて、従業者が専有して使用するデスクトップ型ＰＣ本体やディスプレイ装置を対象に電力制御を行うことができる。
【０１１２】
空調機制御部２１５は、従業者の絶対位置に基づいて空調機７００の電源のオンオフを制御する。より具体的には、空調機制御部２１５は、例えば、受信した絶対位置の席が存在するグループに設定された空調機７００の電源をオンにする制御信号を通信部２０１を介して送信する。
【０１１３】
次に、以上のように構成された本実施の形態の測位サーバ装置１００による検出処理について説明する。図１４は、本実施の形態の測位サーバ装置１００による検出処理の手順を示すフローチャートである。かかるフローチャートによる検出処理は、複数のスマートフォン３００のそれぞれに対応して実行される。
【０１１４】
なお、測位サーバ装置１００は、このフローチャートによる検出処理とは別個に、複数のスマートフォン３００に搭載された加速度センサ、角速度センサ、地磁気センサあるいはスマートフォン３００とは別個の加速度センサ、角速度センサ、地磁気センサのそれぞれの各センサから検知データ（加速度ベクトル、角速度ベクトル、磁気方位ベクトル）を一定間隔で受信し、複数の監視カメラ４００から撮像画像を受信している。
【０１１５】
まず、従業者が制御対象領域である室内に入室したか否かを、例えば、開閉する扉の撮像画像等により判断する（ステップＳ１１）。そして、入室した場合には（ステップＳ１１：Ｙｅｓ）、動作状況検出部１０３は、入室した従業者の動作状況を、上述した手法により検出する（ステップＳ１２）。そして、動作状況検出部１０３は、従業者の動作状況が歩行状態であるか否かを判断し（ステップＳ１３）、歩行状態である間は（ステップＳ１３：Ｙｅｓ）、動作状況の検出を繰り返し行う。
【０１１６】
一方、ステップＳ１３で従業者の動作状況が歩行状態でない場合には（ステップＳ１３：Ｎｏ）、動作状況検出部１０３は、従業者の動作状況が静止状態であると判断する。そして、位置特定部１０２は、基準位置を扉として、扉からの相対移動ベクトルを、上述の手法で算出する（ステップＳ１４）。
【０１１７】
そして、位置特定部１０２は、記憶部１１０に保存されている室の地図データと、扉からの相対移動ベクトルにより、静止状態となった従業者の絶対位置を特定する（ステップＳ１５）。これにより、位置特定部１０２は、従業者が室内に配置されたどの机の位置にいるかまでを特定することができ、その結果、従業者の肩幅（略６０ｃｍ以下、より具体的には略４０ｃｍ以下）の精度で、従業者の位置を特定することになる。
【０１１８】
次に、動作状況検出部１０３は、さらに静止状態の従業者の動作状況として、従業者のディスプレイ装置に対する方向（向き）を、地磁気センサから受信した磁気方位ベクトルから検出する（ステップＳ１６）。
【０１１９】
次いで、動作状況検出部１０３は、従業者の動作状況として、着座状態か起立状態かという姿勢を、上述の手法で検出する（ステップＳ１７）。これにより、動作状況検出部１０３は、従業者の高さ方向の位置を、略５０ｃｍ以下（より具体的には、略４０ｃｍ以下）の精度で検出したことになる。
【０１２０】
さらに、動作状況検出部１０３は、従業者の動作状況として、しゃがむ動作か起立動作か、着座状態で向きを変更する動作か戻す動作か、着座状態で目線を上げる動作か目線を戻す動作か、着座状態で目線を下げる動作か目線を戻す動作か、をそれぞれ検出してもよい。
【０１２１】
次に、補正部１０４は、特定された絶対位置、検出された方向および姿勢に対して、上述のとおり、補正が必要か否かを判断して、必要であれば補正する（ステップＳ１８）。
【０１２２】
そして、通信部１０１は、絶対位置、検出された方向および姿勢（補正された場合には、補正後の絶対位置、検出された方向および姿勢）を、検出結果データとして、制御サーバ装置２００に送信する（ステップＳ１９）。
【０１２３】
次に、制御サーバ装置２００による機器制御処理について説明する。図１５は、本実施の形態の機器制御処理のうち、コンセント制御部２１３および空調機制御部２１５による機器制御処理の手順を示すフローチャートである。なお、照明機器制御部２１１によるＬＥＤ照明機器５００に対する調光制御の手順については後述する。
【０１２４】
まず、通信部２０１は、測位サーバ装置１００から、検出結果データとしての従業者の絶対位置、方向、姿勢を受信する（ステップＳ３１）。次に、機器制御部２１０のコンセント制御部２１３および空調機制御部２１５は、受信した検出結果データの絶対位置から、制御対象のタップ６００および空調機７００を特定する（ステップＳ３２）。
【０１２５】
より具体的には、コンセント制御部２１３は、記憶部２２０に保存された位置データを参照して、絶対位置に相当する机の近傍に設置されたタップ６００を制御対象として特定する。また、空調機制御部２１５は、記憶部２２０に保存された位置データを参照して、絶対位置に相当する机があるグループに対応して設置された空調機７００を制御対象として特定する。
【０１２６】
次に、空調機制御部２１５は、特定した空調機７００の電源をオンにする制御を行う（ステップＳ３３）。
【０１２７】
次に、コンセント制御部２１３は、受信した検出結果データの方向が前方であり、かつ当該検出結果データの姿勢が着座状態であるか否かを判断する（ステップＳ３４）。そして、方向が前方であり、かつ姿勢が着座状態である場合には（ステップＳ３４：Ｙｅｓ）、コンセント制御部２１３は、ステップＳ３２で特定したタップ６００においてディスプレイ装置が接続されたタップ口のスイッチをオンにする制御を行う（ステップＳ３５）。
【０１２８】
一方、ステップＳ３４において、方向が後方であるか、または、姿勢が起立状態である場合には（ステップＳ３４：Ｎｏ）、コンセント制御部２１３は、ステップＳ３２で特定したタップ６００においてディスプレイ装置が接続されたタップ口のスイッチをオフにする制御を行う（ステップＳ３６）。
【０１２９】
なお、機器制御部２１０のコンセント制御部２１３および空調機制御部２１５は、各制御対象の機器に対して上述した制御以外の制御を行うように構成してもよい。
【０１３０】
また、従業者の動作状況として、しゃがむ動作か起立動作か、着座状態で向きを変更する動作か戻す動作か、着座状態で目線を上げる動作（見上げる動作）か目線を戻す動作か、着座状態で目線を下げる動作（見下げる動作）か目線を戻す動作かにより、各制御対象の機器に対する制御を行うように、機器制御部２１０のコンセント制御部２１３および空調機制御部２１５を構成してもよい。
【０１３１】
このような場合の各動作と制御対象の機器および制御方法として、以下のような例があげられる。これらの動作は、従業者が机の前に着座している状態を想定した場合に起こり得る動作であり、制御対象機器は、ＰＣあるいはＰＣのディスプレイ装置、電気スタンド、個別空調に相当する卓上扇風機等である。
【０１３２】
例えば、従業者が机にいる場合で、受信した検出結果データから、一定時間以上しゃがむ動作が継続していると判断した場合には、ＰＣの電源が接続されたタップ口のスイッチをオフにするようにコンセント制御部２１３を構成することができる。また、機器制御部２１０に機器のモードを制御するモード制御部を設け、ＰＣのディスプレイ装置をスタンバイモードに移行させるように、モード制御部を構成することができる。
【０１３３】
また、着座状態から、起立動作を検出して、起立状態が一定時間以上継続した場合には、ＰＣをスタンバイモードに移行するようにモード制御部を構成したり、同時にディスプレイ装置の電源が接続されたタップ口のスイッチをオフにするようにコンセント制御部２１３を構成することができる。
【０１３４】
向きの変化という動作に対しては以下のような制御が一例としてあげられる。机の前に着座した状態から、顔あるいは上半身の向きの変化が検出され、この状態が一定時間以上継続した場合には、隣接する席の他の従業者と会話している等の状況が考えられ、ＰＣ、ディスプレイ装置、電気スタンド等の照明機器をスタンバイあるいはオフとし、従業者の向きが元の状態に戻った、元の姿勢に戻ったことを検出した場合には、ＰＣ、ディスプレイ装置、電気スタンド等の照明機器をオンにする等ようにコンセント制御部２１３、モード制御部を構成することができる。
【０１３５】
また、従業者が机で書類を読むような場合には見下げる動作を行い、従業者がアイデアを思いつく、あるいは考えるような場合には天井方向を見上げる動作を行うことが考えられる。このため、一定時間以上見上げる動作または見下げる動作が継続して検出された場合には、ＰＣをスタンバイモードに移行したり、ディスプレイ装置をオフにするような制御を行うようにコンセント制御部２１３、モード制御部を構成することができる。さらに、見下げる動作の場合には、電気スタンドをオフにしない制御を行うようにコンセント制御部２１３を構成してもよい。
【０１３６】
このように本実施の形態では、従業者の位置を肩幅の精度で特定し、従業者の方向や姿勢を検出して、機器の電力制御を行っているので、より細かい精度での機器の電力制御が可能となり、従業者の快適性、仕事の高効率化を維持しつつ、より一層の省電力化および省エネルギー化を実現することができる。
【０１３７】
すなわち、本実施の形態では、従業者を検出するだけでなく、その従業者が専有して使用する機器、その従業者が座る机の近傍の照明機器、空調機、オフィス機器を個別に制御することができ、かつ一人一人の電力使用量を同時に把握することが可能となる。
【０１３８】
従来技術では、ビル、オフィス、工場全体、オフィス全体の電力がいわゆる「見える化」を実現することができても、個人個人がどのように省電力をしたらよいか不明であり、全体の目標値を超える、供給電力量を超えるといった逼迫した状況でないと、省電力化を意識しにくい等により、継続的に進めることができないが、本実施の形態によれば、従業者の快適性を維持して業務の効率低下を抑制しながら、より一層の省電力化を実現することができる。
【０１３９】
また、本実施の形態によれば、機器の自動制御においても、従業者と機器だけでなく、機器間の協調制御をすることにより、省電力をより向上させることができる。
【０１４０】
次に、本実施の形態の照明機器制御部２１１により実施されるＬＥＤ照明機器５００の調光制御について、具体例を挙げながら詳細に説明する。
【０１４１】
図１６は、本実施の形態の機器制御システムの構成のうち、制御サーバ装置２００の照明機器制御部２１１に関わる部分を抜き出して示したブロック図である。制御サーバ装置２００の照明機器制御部２１１は、図１６に示すように、重み付与部２１１ａと、調光制御部２１１ｂと、を備える。また、制御サーバ装置２００の記憶部２２０は、基準レベル記憶部２２１と、第１の重み付けテーブル記憶部２２２と、第２の重み付けテーブル記憶部２２３と、を備える。また、調光制御の対象となるＬＥＤ照明機器５００は、ＰＷＭ（パルス幅変調）制御により調光レベルが制御される機器であり、ＰＷＭ制御回路５０１と、ＬＥＤ駆動回路５０２と、を備える。なお、図１６では、便宜上、ＬＥＤ照明機器５００を一つだけ図示しているが、制御対象領域内に設けられた複数のＬＥＤ照明機器５００のすべてが同様の構成である。
【０１４２】
基準レベル記憶部２２１は、複数のＬＥＤ照明機器５００に対して共通の調光レベルの基準値である基準レベルを記憶する。一例として、基準レベル記憶部２２１は、フル点灯を１００％とした場合の９０％を基準レベルとして記憶する。なお、基準レベル記憶部２２１が記憶する基準レベルは、従業者、あるいは、本実施の形態の機器制御システムを管理する権限を持つ管理者の操作に応じて、変更することができる。
【０１４３】
第１の重み付けテーブル記憶部２２２は、制御対象領域である室内の複数のエリアと、各エリアに対して付与される第１の重みとを対応付けて記述した第１の重み付けテーブルを記憶する。
【０１４４】
図１７は、制御対象領域である室内におけるＬＥＤ照明機器５００の位置に応じて区分された複数のエリアを説明する図である。なお、図１７は、図６に例示した室内におけるＬＥＤ照明機器５００のレイアウトを前提としている。
【０１４５】
図１７の例では、制御対象領域である室内に、２管のＬＥＤ灯を１組として構成されるＬＥＤ照明機器５００が９つ（ＬＥＤ照明機器５００＿１〜５００＿９）配置されている。この例の場合、制御対象領域である室内は、ＬＥＤ照明機器５００＿１に対応するエリアＡ＿１と、ＬＥＤ照明機器５００＿２に対応するエリアＡ＿２と、ＬＥＤ照明機器５００＿３に対応するエリアＡ＿３と、ＬＥＤ照明機器５００＿４に対応するエリアＡ＿４と、ＬＥＤ照明機器５００＿５に対応するエリアＡ＿５と、ＬＥＤ照明機器５００＿６に対応するエリアＡ＿６と、ＬＥＤ照明機器５００＿７に対応するエリアＡ＿７と、ＬＥＤ照明機器５００＿８に対応するエリアＡ＿８と、ＬＥＤ照明機器５００＿９に対応するエリアＡ＿９とに区分される。つまり、区分される各エリアは、そのエリアの照度に主に影響を与えるＬＥＤ照明機器５００が一意に対応付けられている。各ＬＥＤ照明機器５００に対応するエリアの座標は、例えば、各ＬＥＤ照明機器５００の座標に基づいて算出される。各ＬＥＤ照明機器５００の座標は、上述した位置データとして記憶部２２０に格納されている。
【０１４６】
図１７の例では、図の上側の３つのエリアＡ＿１〜Ａ＿３が、室の外部の廊下に面したエリアとなっており、これら３つのエリアＡ＿１〜Ａ＿３には、廊下の照明光が外光として入り込むものとする。また、エリアＡ＿１とエリアＡ＿３には、室内外への出入りが行われる２つの扉が設けられており、従業者が頻繁に通過するエリアとなっている。また、図１７の例では、図の下側の３つのエリアＡ＿７〜Ａ＿９が、屋外に面したエリアとなっており、これら３つのエリアＡ＿７〜Ａ＿９には、屋外の自然光が外光として入り込むものとする。また、図１７の例では、残りの３つのエリアＡ＿４〜Ａ＿６が、外光の影響を受けないエリアとなっているものとする。
【０１４７】
図１８は、図１７に示した各エリアＡ＿ｎ（Ａ＿１〜Ａ＿９）に対して付与される第１の重みＷ１＿ｎ（Ｗ１＿１〜Ｗ１＿９）を記述した第１の重み付けテーブルの一例を示す図である。第１の重みＷ１＿１〜Ｗ１＿９は、それぞれ対応するエリアＡ＿１〜Ａ＿９の位置の特性を反映した値となっている。図１８の例では、外光の影響を受けないエリアＡ＿４〜Ａ＿６に対応する第１の重みＷ１＿４〜Ｗ１＿６が１．０であるのに対して、エリアＡ＿７〜Ａ＿９に対応する第１の重みＷ１＿７〜Ｗ１＿９は、屋外の自然光が入り込むことを考慮して、１．０よりも小さい値である０．７となっている。同様に、エリアＡ＿１〜Ａ＿３に対応する第１の重みＷ１＿１〜Ｗ１＿３も、廊下の照明光が入り込むことを考慮して小さい値となっているが、エリアＡ＿１，Ａ＿３に対応する第１の重みＷ１＿１，Ｗ１＿３は、従業者が頻繁に通過することを考慮して、エリアＡ＿２に対応する第１の重みＷ１＿２よりも大きい値となっている。具体的には、エリアＡ＿２に対応する第１の重みＷ１＿２が０．８であるのに対して、エリアＡ＿１，Ａ＿３に対応する第１の重みＷ１＿１，Ｗ１＿３は０．９となっている。
【０１４８】
なお、図１８の第１の重み付けテーブルはあくまで一例であり、エリアごとの第１の重みの大きさは、外光の影響の大きさや他に考慮すべき様々なエリアの位置の特性等に応じて、最適な値を定めておけばよい。例えば、室内に休憩スペースとして利用されるエリアがある場合は、このエリアに対応する第１の重みを小さい値としておくことで、このエリアに対応するＬＥＤ照明機器５００の調光レベルを下げて、エリアの照度を相対的に小さくすることができる。また、例えば、室内に多くの従業者が共通で使用するオフィス機器が設置されるエリアがある場合は、このエリアに対応する第１の重みを大きい値としておくことで、このエリアに対応するＬＥＤ照明機器５００の調光レベルを上げて、エリアの照度を相対的に大きくすることができる。
【０１４９】
また、エリアごとの第１の重みを時間に応じて変化させることも可能である。例えば、オフィスの始業時間から終業時間までの間をいくつかの時間帯に区切り、各時間帯に対応した複数の第１の重み付けテーブルを第１の重み付けテーブル記憶部２２２に記憶させておく。そして、照明機器制御部２１１の重み付与部２１１ａが、制御サーバ装置２００の内部に設けられたタイマ若しくは制御サーバ装置２００の外部から時刻情報を取得し、現在時刻を含む時間帯に対応する第１の重み付けテーブルを参照して、各エリアに対して第１の重みを付与することで、エリアごとの第１の重みを時間に応じて変化させることができる。このように、エリアごとの第１の重みを時間に応じて変化させるようにすれば、例えば、時間に応じて変化する屋外の自然光の影響をより忠実に反映させた調光制御が可能となる。
【０１５０】
第２の重み付けテーブル記憶部２２３は、制御対象領域である室内における従業者の位置に応じたエリア種別および各エリア種別に与えられた条件と、条件に適合するエリアに対して付与される第２の重みとを対応付けて記述した第２の重み付けテーブルを記憶する。ここで、エリア種別は、従業者が滞在しているエリア（以下、滞在エリアという。）であるか、従業者が滞在していないエリア（以下、非滞在エリアという。）であるかを示している。また、滞在エリアに対して与えられる条件は、滞在している従業者の動作状況、すなわち、従業者が机に向かって着座しているのか、起立または歩行しているのかという条件である。また、非滞在エリアに対して与えられる条件は、滞在エリアからの距離である。滞在エリアからの距離は、滞在エリアに隣接するエリアであれば距離＝１、滞在エリアに隣接せず、距離＝１のエリアに隣接するエリアであれば距離＝２、滞在エリアにも距離＝１のエリアにも隣接せず、距離＝２のエリアに隣接するエリアであれば距離＝３である。
【０１５１】
図１９は、第２の重み付けテーブルの一例を示す図である。図１９の例では、エリア種別が滞在エリアであり、滞在している従業者の動作状況が着座であるエリアに対して付与される第２の重みＷ２＿ｎを１．０としている。また、エリア種別が滞在エリアであり、滞在している従業者の動作状況が起立または歩行であるエリアに対して付与される第２の重みＷ２＿ｎを０．８としている。また、エリア種別が非滞在エリアであり、滞在エリアからの距離＝１のエリアに対して付与される第２の重みＷ２＿ｎを０．７としている。また、エリア種別が非滞在エリアであり、滞在エリアからの距離＝２のエリアに対して付与される第２の重みＷ２＿ｎを０．６としている。また、エリア種別が非滞在エリアであり、滞在エリアからの距離＝３のエリアに対して付与される第２の重みＷ２＿ｎを０．５としている。
【０１５２】
図１９の例のように、非滞在エリアに対して付与される第２の重みＷ２＿ｎを、滞在エリアに対して付与される第２の重みＷ２＿ｎよりも相対的に小さな値とすることで、非滞在エリアに対応するＬＥＤ照明機器５００の調光レベルを下げて、省電力化を図ることができる。また、滞在エリアについても、従業者の動作状況に応じて第２の重みＷ２＿ｎを変化させ、従業者の動作状況が起立または歩行である滞在エリアに対して付与される第２の重みＷ２＿ｎを、従業者の動作状況が着座である滞在エリアに対して付与される第２の重みＷ２＿ｎよりも小さな値とすることで、従業者の動作状況が起立または歩行である滞在エリアに対応するＬＥＤ照明機器５００の調光レベルを下げて、省電力化を図ることができる。また、非滞在エリアについては、滞在エリアからの距離が大きくなるに従い、付与される第２の重みＷ２＿ｎの値が小さくなるようにすることで、制御対象領域である室内における従業者の位置から離れるほど、ＬＥＤ照明機器５００の調光レベルを低くして、従業者に与える違和感を低減させることができる。
【０１５３】
なお、図１９の第２の重み付けテーブルはあくまで一例であり、エリア種別ごとの条件や各条件に適合するエリアに対して付与される第２の重みＷ２＿ｎの値は、目的や用途に応じて適宜変更して実施することができる。
【０１５４】
照明機器制御部２１１の重み付与部２１１ａは、第１の重み付けテーブルおよび第２の重み付けテーブルを参照し、制御対象領域である室内の各エリアに対して、第１の重みと第２の重みとを付与する。具体的には、重み付与部２１１ａは、予め定めた一定時間ごとに、測位サーバ装置１００により検知された従業者の位置情報を用いて後述する滞在エリア判定処理を実施する。そして、重み付与部２１１ａは、滞在エリアと判定されたエリアに対しては、測位サーバ装置１００により検知された従業者の動作状況に基づいて、第２の重み付けテーブルから該当する第２の重みを読み出して付与する。また、重み付与部２１１ａは、非滞在エリアと判定されたエリアに対しては、滞在エリアからの距離を算出し、算出した距離に基づいて、第２の重み付けテーブルから該当する第２の重みを読み出して付与する。
【０１５５】
調光制御部２１１ｂは、制御対象領域である室内に分散配置された複数のＬＥＤ照明機器５００の調光レベルを、各ＬＥＤ照明機器５００に対応するエリアに対して付与された第１の重みと第２の重みとを用いて制御する。具体的には、調光制御部２１１ｂは、例えば、エリアＡ＿ｎに対応するＬＥＤ照明機器５００について、基準レベル記憶部２２１が記憶する基準レベルＬｂと、エリアＡ＿ｎに対して付与された第１の重みＷ１＿ｎと、エリアＡ＿ｎに対して付与された第２の重みＷ２＿ｎとから、下記式（１）により目標調光レベルＬｔを算出する。
Ｌｔ＝Ｌｂ×Ｗ１＿ｎ×Ｗ２＿ｎ  ・・・（１）
そして、調光制御部２１１ｂは、算出した目標調光レベルＬｔを実現させるための制御信号をＬＥＤ照明機器５００のＰＷＭ制御回路５０１に供給する。
【０１５６】
ＬＥＤ照明機器５００には、ＬＥＤ電源部５２０によって交流電源５１０（商用電源１００／２００Ｖ）から変換された直流電源が供給される。ＬＥＤ照明機器５００のＰＷＭ制御回路５０１は、調光制御部２１１ｂから供給される制御信号に基づいて直流電源をＰＷＭ制御することにより、ＬＥＤ照明機器５００の調光を実現する。すなわち、ＰＷＭ制御回路５０１は、調光制御部２１１ｂから供給される制御信号に基づいてＰＷＭ信号を生成し、ＰＷＭ信号に応じてＬＥＤ駆動回路５０２に設けられたトランジスタをオン／オフすることにより、直流電源の実効電圧を調整して、調光を実現する。
【０１５７】
図２０は、ＬＥＤ照明機器５００の概略構成を示す回路図である。ＬＥＤ駆動回路５０２は、直列に接続された複数のＬＥＤからなる発光部５０２ａと、発光部５０２ａに接続されたトランジスタ５０２ｂとを有する。トランジスタ５０２ｂのベースは、ＰＷＭ制御回路５０１に接続され、ＰＷＭ制御回路５０１からのＰＷＭ信号に応じてトランジスタ５０２ｂのオン／オフが制御される。
【０１５８】
図２１は、ＰＷＭ制御の概要を説明する図である。図２１（ａ）は１００％点灯時、つまり調光レベルが１００％のときの直流電源の電圧波形を示している。図２１（ｂ）は７５％点灯時、つまり調光レベルが７５％のときの直流電源の電圧波形を示している。図２１（ｃ）は５０％点灯時、つまり調光レベルが５０％のときの直流電源の電圧波形を示している。図２１（ｄ）は２５％点灯時、つまり調光レベルが２５％のときの直流電源の電圧波形を示している。図２１（ｅ）は０％点灯（消灯）時、つまり調光レベルが０％のときの直流電源の電圧波形を示している。これらの図で示すように、ＰＷＭ制御は、ＬＥＤ照明機器５００の発光部５０２ａに対して一定の電圧レベルの直流電源が供給されている時間幅を変化させることで、ＬＥＤ照明機器５００の調光レベルを制御する。
【０１５９】
なお、本実施の形態では、ＰＷＭ制御により直流電源の実効電圧を調整することでＬＥＤ照明機器５００の調光制御を実現しているが、これに限らず、例えば、アナログ制御によって電圧レベルを調整することでＬＥＤ照明機器５００の調光制御を実現してもよい。
【０１６０】
次に、本実施の形態の照明機器制御部２１１によるＬＥＤ照明機器５００に対する調光制御の具体的な処理手順について説明する。図２２は、本実施の形態の照明機器制御部２１１が実施する処理の概要を示すフローチャートである。
【０１６１】
まず、通信部２０１が、測位サーバ装置１００から検出結果データを受信する（ステップＳ１０１）。そして、照明機器制御部２１１の重み付与部２１１ａが、ステップＳ１０１で通信部２０１が受信した検出結果データの絶対位置（室内における従業者の位置情報）を用いて、滞在エリア判定処理を行う（ステップＳ１０２）。
【０１６２】
次に、重み付与部２１１ａは、ステップＳ１０２の滞在エリア判定処理の結果と、ステップＳ１０１で通信部２０１が受信した検出結果データの動作状況（姿勢）と、第１の重み付けテーブル記憶部２２２が記憶する第１の重み付けテーブルと、第２の重み付けテーブル記憶部２２３が記憶する第２の重み付けテーブルとを用いて、制御対象領域である室内の各エリアに付与する第１の重みと第２の重みとを決定する（ステップＳ１０３）。
【０１６３】
次に、調光制御部２１１ｂが、ステップＳ１０３で各エリアに付与された第１の重みおよび第２の重みと、基準レベル記憶部２２１が記憶する基準レベルとを用いて、各エリアに対応するＬＥＤ照明機器５００のそれぞれの目標調光レベルを算出し、算出した目標調光レベルに基づく制御信号をＬＥＤ照明機器５００のＰＷＭ制御回路５０１に供給して、各ＬＥＤ照明機器５００の調光レベルを制御する（ステップＳ１０４）。
【０１６４】
ここで、滞在エリア判定処理に用いるエリアの座標情報を算出する方法について説明する。図２３は、エリアの座標情報を算出する方法の一例を説明する図である。なお、図２３は、図６および図１７に例示した室内におけるＬＥＤ照明機器５００のレイアウトを前提としている。
【０１６５】
図２３の例において、室内の中央に設置されたＬＥＤ照明機器５００＿５に対し、図中の上側にＬＥＤ照明機器５００＿２、図中の左側にＬＥＤ照明機器５００＿４、図中の右側にＬＥＤ照明機器５００＿６、図中の下側にＬＥＤ照明機器５００＿８がそれぞれ隣り合っているものとする。ここで、ＬＥＤ照明機器５００＿２の座標を（ｘ２，ｙ２）、ＬＥＤ照明機器５００＿４の座標を（ｘ４，ｙ４）、ＬＥＤ照明機器５００＿５の座標を（ｘ５，ｙ５）、ＬＥＤ照明機器５００＿６の座標を（ｘ６，ｙ６）、ＬＥＤ照明機器５００＿８の座標を（ｘ８，ｙ８）とする。これらの座標（ｘ２，ｙ２）、（ｘ４，ｙ４）、（ｘ５，ｙ５）、（ｘ６，ｙ６）、（ｘ８，ｙ８）は、位置データとして記憶部２２０に格納されている。
【０１６６】
このような前提のもと、室内の中央に設置されたＬＥＤ照明機器５００＿５に対応するエリアＡ＿５の座標情報を算出する場合について考える。ＬＥＤ照明機器５００＿５に対応するエリアＡ＿５をＰ１，Ｐ２，Ｐ３，Ｐ４の４点で囲まれた領域と規定するとき、各点の座標はそれぞれ、Ｐ１（ｘ５ａ，ｙ５ａ）、Ｐ２（ｘ５ａ，ｙ５ｂ）、Ｐ３（ｘ５ｂ，ｙ５ｂ）、Ｐ４（ｘ５ｂ，ｙ５ａ）と記述することができ、ＬＥＤ照明機器５００＿５に対応するエリアＡ＿５は、ｘ５ａ、ｘ５ｂ、ｙ５ａ、ｙ５ｂの４つの数値で表現できる。そして、ｘ５ａ、ｘ５ｂ、ｙ５ａ、ｙ５ｂの４つの数値は、ＬＥＤ照明機器５００＿５および隣り合う４つのＬＥＤ照明機器５００＿２，５００＿４，５００＿６，５００＿８それぞれの座標（ｘ２，ｙ２），（ｘ４，ｙ４），（ｘ５，ｙ５），（ｘ６，ｙ６），（ｘ８，ｙ８）を用いて、下記式（２）〜（５）のように算出することができる。
ｘ５ａ＝（ｘ４＋ｘ５）／２  ・・・（２）
ｘ５ｂ＝（ｘ５＋ｘ６）／２  ・・・（３）
ｙ５ａ＝（ｙ８＋ｙ５）／２  ・・・（４）
ｙ５ｂ＝（ｙ５＋ｙ２）／２  ・・・（５）
【０１６７】
以上の方法により、制御対象領域である室内に分散配置された各ＬＥＤ照明機器５００＿１〜５００＿９のそれぞれに対応するエリアＡ＿１〜Ａ＿９の座標を算出することができる。なお、隣り合うＬＥＤ照明機器５００が存在しない方向がある場合は、その方向のエリア境界の座標として、室内の壁の座標を用いればよい。例えば、図２３に例示したＬＥＤ照明機器５００＿８は、図中の下側に隣り合うＬＥＤ照明機器５００が存在しないので、図中の下側のエリア境界を規定する点Ｐ１，Ｐ４のｙ座標ｙ８ａとして、図中の下側の壁のｙ座標（＝０）を用いればよい。
【０１６８】
次に、重み付与部２１１ａが実行する滞在エリア判定処理の具体例について説明する。図２４は、滞在エリア判定処理の手順を示すフローチャートである。重み付与部２１１ａは、予め定めた一定時間ごとに、図２４のフローチャートで示す滞在エリア判定処理を繰り返し実行する。なお、以下の説明では、制御サーバ装置２００の通信部２０１が測位サーバ装置１００から受信する従業者の位置を座標（ｘ，ｙ）として表すものとする。
【０１６９】
まず、重み付与部２１１ａは、判定の対象となるエリアをエリアＡ＿ｎとし、ｎに初期値（ｎ＝１）を設定する（ステップＳ２０１）。
【０１７０】
次に、重み付与部２１１ａは、エリアＡ＿ｎの座標情報を取得する（ステップＳ２０２）。エリアＡ＿ｎの座標情報は、上述したようにｘｎａ，ｘｎｂ，ｙｎａ，ｙｎｂの４つの数値で表される。これらの数値は、例えば、予め算出されて記憶部２２０等に格納されている。
【０１７１】
次に、重み付与部２１１ａは、測位サーバ装置１００により検出された従業者の位置（ｘ，ｙ）と、エリアＡ＿ｎの座標情報ｘｎａ，ｘｎｂ，ｙｎａ，ｙｎｂとを比較して、エリアＡ＿ｎが滞在エリアであるか否かを判定する。すなわち、重み付与部２１１ａは、ｘの値がｘｎａ〜ｘｎｂの範囲内であるか否かを判定するとともに（ステップＳ２０３）、ｙの値がｙｎａ〜ｙｎｂの範囲内であるか否かを判定する（ステップＳ２０４）。そして、ｘの値がｘｎａ〜ｘｎｂの範囲内であり（ステップＳ２０３：Ｙｅｓ）、かつ、ｙの値がｙｎａ〜ｙｎｂの範囲内である場合に（ステップＳ２０４：Ｙｅｓ）、エリアＡ＿ｎを滞在エリアと判定し、エリアＡ＿ｎが滞在エリアであることを示す情報を記憶部２２０等に一時的に記憶させる（ステップＳ２０５）。一方、ｘの値がｘｎａ〜ｘｎｂの範囲内ではない（ステップＳ２０３：Ｎｏ）、あるいは、ｙの値がｙｎａ〜ｙｎｂの範囲内でない場合は（ステップＳ２０４：Ｎｏ）、エリアＡ＿ｎを非滞在エリアと判定して情報の記憶は行わない。
【０１７２】
次に、重み付与部２１１ａは、ｎの値をインクリメントして（ステップＳ２０６）、ｎの値がエリア数を超えたか否か、つまりすべてのエリアに対して滞在エリアであるか非滞在エリアであるかの判定が終了したか否かを判定する（ステップＳ２０７）。そして、ｎの値がエリア数以下であれば（ステップＳ２０７：Ｎｏ）、ステップＳ２０２に戻って新たなエリアＡ＿ｎの座標情報を取得して以降の処理を繰り返す。一方、ｎの値がエリア数を超えたら（ステップＳ２０７：Ｙｅｓ）、滞在エリア判定処理を終了する。
【０１７３】
次に、重み付与部２１１ａによるエリアごとの重み決定処理と調光制御部２１１ｂによる調光制御の具体例について説明する。図２５は、エリアごとの重み決定処理と調光制御の手順を示すフローチャートである。
【０１７４】
まず、重み付与部２１１ａは、重みを付与する対象となるエリアをエリアＡ＿ｎとし、ｎに初期値（ｎ＝１）を設定する（ステップＳ３０１）。
【０１７５】
次に、重み付与部２１１ａは、上述した滞在エリア判定処理の結果として例えば記憶部２２０等に一時的に記憶させた情報を参照し、エリアＡ＿ｎが滞在エリアであるか否かを判定する（ステップＳ３０２）。そして、重み付与部２１１ａは、エリアＡ＿ｎが滞在エリアであれば（ステップＳ３０２：Ｙｅｓ）、通信部２０１が測位サーバ装置１００から受信した検出結果データに基づいて、エリアＡ＿ｎに滞在する従業者の動作状況が着座であるか、あるいは起立または歩行であるかを判定する（ステップＳ３０３）。そして、重み付与部２１１ａは、エリアＡ＿ｎに滞在する従業者の動作状況が着座であれば（ステップＳ３０３：Ｙｅｓ）、第２の重み付けテーブル記憶部２２３が記憶する第２の重み付けテーブルから、滞在エリアで且つ動作状況が着座の条件に対応する第２の重みＷ２＿ｎを取得して、エリアＡ＿ｎに付与する（ステップＳ３０４）。一方、エリアＡ＿ｎに滞在する従業者の動作状況が起立または歩行であれば（ステップＳ３０３：Ｎｏ）、重み付与部２１１ａは、第２の重み付けテーブル記憶部２２３が記憶する第２の重み付けテーブルから、滞在エリアで且つ動作状況が起立または歩行の条件に対応する第２の重みＷ２＿ｎを取得して、エリアＡ＿ｎに付与する（ステップＳ３０５）。
【０１７６】
また、ステップＳ３０２でエリアＡ＿ｎが非滞在エリアであると判定した場合（ステップＳ３０２：Ｎｏ）、重み付与部２１１ａは、エリアＡ＿ｎに最も近い滞在エリアを検索し、最も近い滞在エリアからのエリアＡ＿ｎの距離を算出する（ステップＳ３０６）。なお、制御対象領域である室内のすべてのエリアが非滞在エリアである場合は、予め定めた距離（例えば距離＝３）とすればよい。そして、重み付与部２１１ａは、第２の重み付けテーブル記憶部２２３が記憶する第２の重み付けテーブルから、非滞在エリアで且つステップＳ３０６で算出した距離の条件に対応する第２の重みＷ２＿ｎを取得して、エリアＡ＿ｎに付与する（ステップＳ３０７）。
【０１７７】
次に、重み付与部２１１ａは、第１の重み付けテーブル記憶部２２２が記憶する第１の重み付けテーブルから、エリアＡ＿ｎに対応付けられた第１の重みＷ１＿ｎを取得し、エリアＡ＿ｎに付与する（ステップＳ３０８）。
【０１７８】
次に、調光制御部２１１ｂが、ステップＳ３０８でエリアＡ＿ｎに付与された第１の重みＷ１＿ｎと、ステップＳ３０４またはステップＳ３０５またはステップＳ３０７でエリアＡ＿ｎに付与された第２の重みＷ２＿ｎとを、基準レベル記憶部２２１が記憶する基準レベルに乗算し、エリアＡ＿ｎに対応するＬＥＤ照明機器５００＿ｎの目標調光レベルを算出する（ステップＳ３０９）。
【０１７９】
次に、調光制御部２１１ｂは、ｎの値をインクリメントして（ステップＳ３１０）、ｎの値がエリア数を超えたか否か、つまりすべてのエリアに対応するすべてのＬＥＤ照明機器５００の目標調光レベルを算出したか否かを判定する（ステップＳ３１１）。そして、ｎの値がエリア数以下であれば（ステップＳ３１１：Ｎｏ）、ステップＳ３０２に戻って、新たなエリアＡ＿ｎに対する処理が繰り返される。一方、ｎの値がエリア数を超えたら（ステップＳ３１１：Ｙｅｓ）、調光制御部２１１ｂが、ステップＳ３０９で算出した目標調光レベルに基づいて、各ＬＥＤ照明機器５００のＰＷＭ制御回路５０１に対して制御信号を供給することにより、各ＬＥＤ照明機器５００の調光レベルを制御する（ステップＳ３１２）。
【０１８０】
以上、具体的な例を挙げながら詳細に説明したように、本実施の形態によれば、制御サーバ装置２００の重み付与部２１１ａが、制御対象領域である室内の各エリアに対して、エリアの位置に応じた第１の重みと、室内における従業者の位置に応じた第２の重みとを付与する。そして、制御サーバ装置２００の調光制御部２１１ｂが、室内に分散配置された複数のＬＥＤ照明機器５００の調光レベルを、対応するエリアに対して付与された第１の重みと第２の重みとを用いて制御する。したがって、本実施の形態によれば、室内に分散配置された複数のＬＥＤ照明機器５００の調光レベルをきめ細かく制御して、省電力化を実現しつつ、室内の従業者に与える違和感を低減することができる。
【０１８１】
本実施の形態の測位サーバ装置１００、制御サーバ装置２００は、ＣＰＵ等の制御装置と、ＲＯＭやＲＡＭ等の記憶装置と、ＨＤＤ、ＣＤドライブ装置等の外部記憶装置と、ディスプレイ装置等の表示装置と、キーボードやマウス等の入力装置を備えており、通常のコンピュータを利用したハードウェア構成となっている。
【０１８２】
本実施の形態の測位サーバ装置１００で実行される検出プログラム、本実施の形態の制御サーバ装置２００で実行される制御プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｃ）等のコンピュータで読み取り可能な記録媒体に記録されて提供される。
【０１８３】
また、本実施の形態の測位サーバ装置１００で実行される検出プログラム、本実施の形態の制御サーバ装置２００で実行される制御プログラムを、インターネット等のネットワークに接続されたコンピュータ上に格納し、ネットワーク経由でダウンロードさせることにより提供するように構成してもよい。また、本実施の形態の測位サーバ装置１００で実行される検出プログラム、本実施の形態の制御サーバ装置２００で実行される制御プログラムをインターネット等のネットワーク経由で提供または配布するように構成してもよい。
【０１８４】
また、本実施の形態の測位サーバ装置１００で実行される検出プログラム、本実施の形態の制御サーバ装置２００で実行される制御プログラムを、ＲＯＭ等に予め組み込んで提供するように構成してもよい。
【０１８５】
本実施の形態の測位サーバ装置１００で実行される検出プログラムは、上述した各部（通信部１０１、位置特定部１０２、動作状況検出部１０３、補正部１０４）を含むモジュール構成となっており、実際のハードウェアとしてはＣＰＵ（プロセッサ）が上記記憶媒体から検出プログラムを読み出して実行することにより上記各部が主記憶装置上にロードされ、通信部１０１、位置特定部１０２、動作状況検出部１０３、補正部１０４が主記憶装置上に生成されるようになっている。
【０１８６】
本実施の形態の制御サーバ装置２００で実行される制御プログラムは、上述した各部（通信部２０１、消費電力管理部２０２、照明機器制御部２１１（重み付与部２１１ａ、調光制御部２１１ｂ）、コンセント制御部２１３、空調機制御部２１５を含むモジュール構成となっており、実際のハードウェアとしてはＣＰＵ（プロセッサ）が上記記憶媒体から制御プログラムを読み出して実行することにより上記各部が主記憶装置上にロードされ、通信部２０１、消費電力管理部２０２、照明機器制御部２１１（重み付与部２１１ａ、調光制御部２１１ｂ）、コンセント制御部２１３、空調機制御部２１５が主記憶装置上に生成されるようになっている。
【０１８７】
以上、本発明の具体的な実施の形態について説明したが、本発明は、上述した実施の形態そのままに限定されるものではなく、実施段階ではその要旨を逸脱しない範囲で様々な変形や変更を加えて具体化することができる。つまり、上述した実施の形態の具体的な構成や動作はあくまで一例であり、用途や目的に応じて様々な変形や変更が可能である。
【符号の説明】
【０１８８】
１００  測位サーバ装置
１０１  通信部
１０２  位置特定部
１０３  動作状況検出部
１０４  補正部
１１０  記憶部
２００  制御サーバ装置
２０１  通信部
２０２  消費電力管理部
２１０  機器制御部
２１１  照明機器制御部
２１１ａ  重み付与部
２１１ｂ  調光制御部
２１３  コンセント制御部
２１５  空調機制御部
２２０  記憶部
２２１  基準レベル記憶部
２２２  第１の重み付けテーブル記憶部
２２３  第２の重み付けテーブル記憶部
３００  スマートフォン
４００  監視カメラ
５００  ＬＥＤ照明機器
６００  タップ
７００  空調機
【先行技術文献】
【特許文献】
【０１８９】
【特許文献１】特開２０１１−００３４７９号公報
【図１】
2014049378.tif 000003
【図２】
2014049378.tif 000004
【図３】
2014049378.tif 000005
【図４】
2014049378.tif 000006
【図５】
2014049378.tif 000007
【図６】
2014049378.tif 000008
【図７】
2014049378.tif 000009
【図８】
2014049378.tif 000010
【図９】
2014049378.tif 000011
【図１０】
2014049378.tif 000012
【図１１】
2014049378.tif 000013
【図１２】
2014049378.tif 000014
【図１３】
2014049378.tif 000015
【図１４】
2014049378.tif 000016
【図１５】
2014049378.tif 000017
【図１６】
2014049378.tif 000018
【図１７】
2014049378.tif 000019
【図１８】
2014049378.tif 000020
【図１９】
2014049378.tif 000021
【図２０】
2014049378.tif 000022
【図２１】
2014049378.tif 000023
【図２２】
2014049378.tif 000024
【図２３】
2014049378.tif 000025
【図２４】
2014049378.tif 000026
【図２５】
2014049378.tif 000027